(57)【要約】【課題】センサやリモコン機能を有した照明器具において、省配線化により小型化を実現する。【解決手段】信号レベルが時間をかけて連続的に変化するアナログ入力信号と、前記アナログ入力信号の変化に比べ短期間でパルス変化し、論理信号として入力が判別されるデジタル入力信号を用いて照明負荷３の点灯状態を制御する制御回路部１１と、制御回路部１１に動作電源を供給する電源部１２と、制御回路部１１により照明負荷３を駆動するための負荷駆動回路部１３とから構成される照明装置１ａ，１ｂにおいて、アナログ入力信号にデジタル入力信号が重畳され、デジタル入力信号の入力値が正論理信号の場合はアナログ入力信号の最大値よりも大きく、負論理信号の場合はアナログ入力信号の最小値よりも小さくした。【選択図】図１
2008159433.tif 000002
【特許請求の範囲】
【請求項１】
信号レベルが時間をかけて連続的に変化するアナログ入力信号と、前記アナログ入力信号の変化に比べ短期間でパルス変化し、論理信号として入力が判別されるデジタル入力信号を用いて照明負荷の点灯状態を制御する制御回路部と、制御回路部に動作電源を供給する電源部と、制御回路部により照明負荷を駆動するための負荷駆動回路部とから構成される照明装置において、アナログ入力信号にデジタル入力信号が重畳され、デジタル入力信号の入力値が正論理信号の場合はアナログ入力信号の最大値よりも大きく、負論理信号の場合はアナログ入力信号の最小値よりも小さいことを特徴とする照明装置。
【請求項２】
アナログ入力信号は、周囲の照度を検出して電気信号に変換し、制御回路部へ照度センサ信号を出力する照度センサ信号であり、かつ、デジタル入力信号は、リモコン送信器の信号を受けて、制御回路部へ信号を出力するリモコン信号受信部のリモコン信号であって、リモコン信号を重畳された照度センサの出力信号が制御回路部に供給され、制御回路部において、照度センサ信号を用いて照度の明暗を判定するための閾値と、リモコン信号の入力を判定するための閾値を各々に有し、リモコン信号の入力判定の閾値が、照度センサの信号の明暗判定のための閾値に対して、リモコン信号が負論理信号の場合は負側に、正論理信号の場合は正側に設定され、かつ、照度センサ信号の出力範囲外に設定されることを特徴とする請求項１記載の照明装置。
【請求項３】
アナログ入力信号は、周囲の照度を検出して電気信号に変換し、制御回路部へ照度センサ信号を出力する照度センサ信号であり、かつ、デジタル入力信号は、人を検知して出力する人体検知センサ信号であって、人体検知センサ信号を重畳された照度センサの出力信号が制御回路部に供給され、制御回路部において、照度センサ信号を用いて照度の明暗を判定するための閾値と、人体検知センサ信号の入力を判定するための閾値を各々に有し、人体検知センサ信号の入力判定の閾値が、照度センサの信号の明暗判定のための閾値に対して、人体検知センサ信号が負論理信号の場合は負側に、正論理信号の場合は正側に設定され、かつ、照度センサ信号の出力範囲外に設定されることを特徴とする請求項１記載の照明装置。
【請求項４】
アナログ入力信号は、周囲の照度を検出して電気信号に変換し、制御回路部へ照度センサ信号を出力する照度センサ信号であり、かつ、デジタル入力信号は、リモコン送信器の信号を受けて、制御回路部へ信号を出力するリモコン信号受信部のリモコン信号、および人を検知して出力する人体検知センサ信号であって、リモコン信号が正論理信号もしくは負論理信号のどちらかであり、人体検知センサ信号は、もう一方の信号であり、リモコン信号および人体検知センサ信号を重畳された照度センサの出力信号が、制御回路部に供給され、制御回路部において、照度センサ信号を用いて照度の明暗を判定するための閾値と、リモコン信号の入力を判定するための閾値および人体検知センサ信号の入力を判定するための閾値を各々に有し、リモコン入力信号の閾値および人体検知センサ信号の閾値が、照度センサの信号の明暗判定のための閾値に対して、負論理信号のものは負側に、正論理信号のものは正側に設定され、かつ、各々の閾値が照度センサ信号の出力範囲外に設定されることを特徴とする請求項１記載の照明装置。
【請求項５】
請求項１〜４のいずれかに記載の照明装置を用いたことを特徴とするセンサまたはリモコン機能付きの照明器具。
【発明の詳細な説明】
【技術分野】
【０００１】
本発明は、センサやリモコンの信号を用いて、照明負荷の動作を切り替えるための照明装置、および、それを用いて点灯が制御される照明器具に関するものである。
【背景技術】
【０００２】
近年、省エネルギーや防犯の目的により、人を検知して点灯させるための人体検知センサや周囲の明るさで点灯を制御するための照度センサを搭載した照明器具が、一般住宅の屋外や屋内にて普及してきている。また、高い位置に取り付けられても容易に点灯のモード設定を切り替えることができるようなリモコン機能を有する高機能型センサ付照明器具も展開されている。
【０００３】
図１７（ａ）にこのような照明器具の外観構成を示す。照明器具は、器具本体３０と、グローブ３２と、図１８に示されるような照明負荷３と、照明負荷３の点灯を制御するための照明装置１ａ，１ｂにより構成される。器具本体３０は、光透過型のグローブ３２と光非透過型の金属等で主に構成され、図１７（ｂ）に示すように、地上面から約１．８ｍ以上の高さに設置されることが多い。
【０００４】
このような照明器具において、図１８に示す各センサ１５，１７およびリモコン信号受信部１６は、それらを包含する照明装置によるグローブ３２への陰影の影響と照明負荷３の出力光がセンサ１５，１７へ影響することを避けるため、器具本体３０内部の端側に組み込まれることが多い。そのような状態に設置される場合、金属で構成される外郭本体３０が人の検知や外部の照度変化、リモコン信号の受信を阻害してしまうといった課題が発生するため、結果的に器具本体３０の外郭部に穴３５，３６，３７を開け、その部分から露出される、もしくは器具外部からセンサおよびリモコン信号受信部を外付けされる構成をとる。
【０００５】
このような構成をとることで、使用者は、この照明装置に向けて、リモコン送信器４を用いて照明器具の点灯モードを手元で選択することを容易にしている。例えば、外出時に、不審者への威嚇のためにフラッシュ点灯する防犯モードを選択し、帰宅時には、通常のセンサ点灯モードに切り替えるといったことが容易にできるようになる。
【特許文献１】特開２００５−５０６６０号公報
【発明の開示】
【発明が解決しようとする課題】
【０００６】
上述のようにリモコン化などの制御方式の高機能化は、使用者の利便性の向上に繋がっている。しかし、一方、照明装置内部での信号線の増加につながり、例えば、照明装置内のプリント基板の面積拡大や、信号線コネクタ数の増加など、結果的に照明装置の大型化につながってくる。これは、さらに、照明器具外郭部形状の大型化の要因となり、照明器具の施工性やデザイン性を高めるための小型化や低コスト化を阻害してしまうことになる。また、併せて、リモコン信号が照度センサ信号のノイズ源となるといったように他信号への干渉といった課題も増加し、入力信号に対してハード面やソフト面でのフィルタ機能の必要性も増えてきている。
【０００７】
本発明は、かかる事由に鑑みてなしたものであり、その目的とするところは、センサやリモコン機能を有した照明器具において、省配線化により小型化を実現することである。
【課題を解決するための手段】
【０００８】
請求項１の発明は、上記の課題を解決するために、図１に示すように、信号レベルが時間をかけて連続的に変化するアナログ入力信号と、前記アナログ入力信号の変化に比べ短期間でパルス変化し、論理信号として入力が判別されるデジタル入力信号を用いて照明負荷３の点灯状態を制御する制御回路部１１と、制御回路部１１に動作電源を供給する電源部１２と、制御回路部１１により照明負荷３を駆動するための負荷駆動回路部１３とから構成される照明装置１ａ，１ｂにおいて、アナログ入力信号にデジタル入力信号が重畳され、デジタル入力信号の入力値が正論理信号の場合はアナログ入力信号の最大値よりも大きく、負論理信号の場合はアナログ入力信号の最小値よりも小さいことを特徴とするものである。
【０００９】
請求項２の発明は、請求項１記載の照明装置において、アナログ入力信号は、周囲の照度を検出して電気信号に変換し、制御回路部１１へ照度センサ信号を出力する照度センサ信号であり、かつ、デジタル入力信号は、リモコン送信器４の信号を受けて、制御回路部１１へ信号を出力するリモコン信号受信部１６のリモコン信号であって、リモコン信号を重畳された照度センサ１５の出力信号が制御回路部１１に供給され、制御回路部１１において、照度センサ信号を用いて照度の明暗を判定するための閾値Ｘと、リモコン信号の入力を判定するための閾値Ｙを各々に有し、リモコン信号の入力判定の閾値Ｙが、照度センサ１５の信号の明暗判定のための閾値Ｘに対して、リモコン信号が負論理信号の場合は負側に、正論理信号の場合は正側に設定され、かつ、照度センサ信号の出力範囲外に設定されることを特徴とする（図９（ハ）、図１２（ハ）参照）。
【００１０】
請求項３の発明は、請求項１記載の照明装置において、アナログ入力信号は、周囲の照度を検出して電気信号に変換し、制御回路部１１へ照度センサ信号を出力する照度センサ信号であり、かつ、デジタル入力信号は、人を検知して出力する人体検知センサ信号であって、人体検知センサ信号を重畳された照度センサ１５の出力信号が制御回路部１１に供給され、制御回路部１１において、照度センサ信号を用いて照度の明暗を判定するための閾値Ｘと、人体検知センサ信号の入力を判定するための閾値Ｚを各々に有し、人体検知センサ信号の入力判定の閾値Ｚが、照度センサ１５の信号の明暗判定のための閾値Ｘに対して、人体検知センサ信号が負論理信号の場合は負側に、正論理信号の場合は正側に設定され、かつ、照度センサ信号の出力範囲外に設定されることを特徴とする（図１３参照）。
【００１１】
請求項４の発明は、請求項１記載の照明装置において、アナログ入力信号は、周囲の照度を検出して電気信号に変換し、制御回路部１１へ照度センサ信号を出力する照度センサ信号であり、かつ、デジタル入力信号は、リモコン送信器４の信号を受けて、制御回路部１１へ信号を出力するリモコン信号受信部１６のリモコン信号、および人を検知して出力する人体検知センサ信号であって、リモコン信号が正論理信号もしくは負論理信号のどちらかであり、人体検知センサ信号は、もう一方の信号であり、リモコン信号および人体検知センサ信号を重畳された照度センサ１５の出力信号が、制御回路部１１に供給され、制御回路部１１において、照度センサ信号を用いて照度の明暗を判定するための閾値Ｘと、リモコン信号の入力を判定するための閾値Ｙおよび人体検知センサ信号の入力を判定するための閾値Ｚを各々に有し、リモコン入力信号の閾値Ｙおよび人体検知センサ信号の閾値Ｚが、照度センサ１５の信号の明暗判定のための閾値Ｘに対して、負論理信号のものは負側に、正論理信号のものは正側に設定され、かつ、各々の閾値が照度センサ信号の出力範囲外に設定されることを特徴とする（図１５参照）。
【００１２】
請求項５の発明は、請求項１〜４のいずれかに記載の照明装置を用いたことを特徴とするセンサまたはリモコン機能付きの照明器具である（図３参照）。
【発明の効果】
【００１３】
請求項１の発明によれば、照明装置の制御回路部に入力されるアナログ入力信号にデジタル入力信号が重畳され、デジタル入力信号の入力値が正論理信号の場合はアナログ入力信号の最大値よりも大きく、負論理信号の場合はアナログ入力信号の最小値よりも小さいことで、互いの機能を損なうことなく、デジタル入力信号をアナログ入力信号に重畳し、２つの信号を１つの信号に合成して処理することができる。さらに、これによって省配線化が可能となり、プリント基板の小型化やコネクタ数の削減など照明装置の小型化が実現できる。
【００１４】
また、赤外線を使用したリモコン信号であれば、アナログ入力信号である照度センサ信号のフィルタ特性によっては、リモコン信号が照度センサ信号のノイズ源となってしまうが、請求項２の発明によれば、リモコン信号の入力判定の閾値が、照度センサの信号の明暗判定のための閾値に対して、リモコン信号が負論理信号の場合は負側に、正論理信号の場合は正側に設定され、かつ、照度センサ信号の出力範囲外に設定されることで、ノイズ源となった場合の信号処理を考える必要も無く、更に、省配線化も実現できる。
【００１５】
また、人体検知センサ信号の入力によって照明負荷が点灯されると、自光の照度センサ信号への影響で照度センサ信号の値が正確に読み取れなくなる場合があるが、請求項３の発明によれば、人体検知センサ信号の入力判定の閾値が、照度センサの信号の明暗判定のための閾値値に対して、人体検知センサ信号が負論理信号の場合は負側に、正論理信号の場合は正側に設定され、かつ、照度センサ信号の出力範囲外に設定されることで、人体検知センサ信号の発生時には照度センサ信号が自動的に無視されることになり、自光による照度センサヘの影響を考える必要が無く、更に、省配線化も実現できる。
【００１６】
請求項４の発明によれば、リモコン信号および人体検知センサ信号の２つのデジタル入力信号を同時に、アナログ入力信号である照度センサに重畳することができ、３つの信号を１つの信号に省配線化できる。
【００１７】
請求項５に係る発明は、センサまたはリモコン機能付き照明器具において、請求項１〜４のいずれかの照明装置を用いることで、照明器具全体の小型化を実現できる。また、照度センサの機能を有した照明装置とそれにリード線で接続される制御用の照明装置を有する照明器具においては、たとえば、照度センサの機能を有した照明装置を、照度センサとリモコン機能を有し、リモコン信号が照度センサ信号に重畳される照明装置と交換する場合でも、信号線の増加に伴う変更が不要となり、容易にリモコン機能を追加できる。すなわち、照明器具の多機能化が容易となる。
【発明を実施するための最良の形態】
【００１８】
以下、本発明の実施の形態について図面に基づき説明する。
（実施の形態１）
図１は本発明の実施の形態１の構成を示すブロック図である。電源２と照明負荷３に接続された照明装置１ｂと、センサまたはリモコン受信機能を有する照明装置１ａとがリード線１ｃで接続されており、リード線１ｃ上にアナログ信号とデジタル信号とが重畳されている。照明装置１ａは、アナログ信号を出力する照度センサ１５と、デジタル信号を出力するリモコン信号受信部１６や人体検知センサ１７などを搭載している。照明装置１ａ，１ｂは、図３に示すように、同一の器具本体３０内に収納されていても良いし、分離して設置されていても良い。
【００１９】
図３に示す壁付照明器具は、金属の外郭である器具本体３０と、蛍光灯のような照明負荷３と、そのソケット部３１と、光を透過するグローブ３２と、制御回路部を内蔵した照明装置１ｂと、リモコン信号受信部および照度センサ部を内蔵した照明装置１ａで構成されており、照明装置１ａと照明装置１ｂはリード線１ｃで接続されている。器具本体３０の下端部には、グローブ保持部３３、照度センサ用穴部３５、リモコン信号用穴部３６が設けられている。なお、照明装置１ａに人体センサ１７も併せて搭載している場合には、図３（ｂ）に示すように、さらに人体検知センサ用穴部３７が設けられる。
【００２０】
器具本体３０は、鉄等の金属製で、略中空直方体型に形成されるもので、壁面の地上面から約１．８ｍの高さに設置されている。グローブ３２は、光透過材料により形成されるもので、器具本体３０の保持部３３により、器具本体３０に固定されている。照明負荷３は、たとえば蛍光灯であり、器具本体３０に取り付けられたソケット３１に装着されている。
【００２１】
照明装置１ａは、周囲の照度を検出して電気信号に変換し、制御回路部１１へ照度センサ信号を出力する照度センサ１５と、リモコン送信器４の信号を受けて、制御回路部１１へリモコン信号を出力するリモコン信号受信部１６とから構成される。この照明装置１ａは、照明器具の外郭下面に設けられた穴部３５，３６より表面が露出して器具本体３０内に固定されている。そして、照明装置１ａにおいてリモコン信号（デジタル信号）が照度センサ信号（アナログ信号）に重畳された信号が出力され、リード線１ｃによって照明装置１ｂに伝送されている。照明装置１ｂは、リード線１ｃから入力された信号を用いて照明負荷３の点灯状態を制御する制御回路部１１と、照明負荷３を駆動するための負荷駆動回路部１３と、制御回路部１１の設定をするための設定部１４と、これらに動作電源を供給する電源部１２を備える。
【００２２】
照明器具は、リモコン送信器４を用いることで、点灯のモードを切り替えることができる。屋外に設置される器具の場合、例えば、点灯のモードは、暗くなると自動点灯し、明るくなると自動消灯する「センサモード」と屋内の壁スイッチでのみ点灯・消灯が切り替えられる「通常点灯モード」の２つのモードが選択できるようになっている。
【００２３】
次に、照明装置１ａからの信号が照明装置１ｂに入力されたときの動作について、アナログ入力信号として照度センサ信号が、デジタル入力信号としてリモコン信号が入力される場合を例に説明する。
【００２４】
照明装置１ａの照度センサ１５は、照明装置１ａの周囲の光を電流として出力する。その光電流の特性として、明るいときには大きく、暗くなるに従い、電流が減少していくが、零にはならず、暗電流として一定の電流値となる。図２に示す回路では、この電流値は電圧値に変換される。
【００２５】
照度センサ１５の出力として表される電圧Ｖｘは、光電流Ｉａとバイアス電流Ｉ１を加えた値に抵抗Ｒ２を乗じた値で定義され、光電流Ｉａが増加する、すなわち照明装置１ａの周囲照度が上がるにつれて、電圧Ｖｘも増加する。ただし、抵抗Ｒ１による分圧および光電流Ｉａの暗電流により、図４（イ）に示すように、照度センサ信号出力の上限値ｂおよび下限値ａは、各々制御電源電圧Ｖｃｃ、グランドＧＮＤの範囲内で変化する。なお、この出力電圧Ｖｘの変化は、１日２４時間周期の明るさの変化に追従し、緩やかに変化する。
【００２６】
一方、リモコン信号は、変調されたリモコン送信器信号がリモコン受信部１６内で復調されたものであるが、その復調されたリモコン信号は、全長が０．２秒程度という短時間の波形であり、リモコン信号のコード規則に従った正論理もしくは負論理信号の矩形波である。
【００２７】
そして、このリモコン信号は、ダイオードＤ１を介して、リモコン受信部１６の出力を前述の照度センサ１５の信号線に接続することで、照度センサ１５の信号に重畳される。各々の波形を図４に示す。図４において、（イ）は照度センサ信号出力、（ロ）はリモコン信号出力、（ハ）は照度センサ信号とリモコン信号出力を重畳した電圧である。
【００２８】
制御回路部１１では、入力信号レベルがリモコン信号の閾値Ｙを超えていなければ、常時、入力信号を照度センサ信号の入力としてみなしており、また、任意に設定された閾値Ｘを越えているか、超えていないかにより周囲照度の明暗判別を行っている。例えば、図５の制御例では、入力信号の電圧レベルが、ある一定期間以上、閾値Ｘより小さいと周囲が暗いと判断し、照明点灯信号を出力し、負荷駆動回路部１３を介して照明負荷３を点灯させる。
【００２９】
逆に、入力電圧レベルがある一定期間以上、閾値Ｘより大きいと周囲が明るいと判断して、照明点灯信号の出力を止め、照明を消灯させる。
【００３０】
一方、リモコン信号は、制御回路部１１において、任意のコードの羅列になっているかが判別される。まず、制御回路部１１では、図６に示すように、入力信号がリモコン信号の閾値Ｙを越えたならば、入力信号は、リモコン信号としてコードの判別処理に移る。最後にリモコン信号の閾値Ｙを越えてから、一定期間にリモコン信号の閾値Ｙを越える信号が入力されず、リモコン信号の入力が無いと判断した場合、照度センサ１５の入力としての判別処理に戻る。
【００３１】
制御回路部１１では、リモコン信号のコード判別処理をしている間、照度センサ１５の明暗判定は行われない。すなわち、リモコン信号か照度センサ信号かを判別するために、リモコン信号の閾値Ｙを超えた時点で、入力信号をリモコン信号とみなすようなアルゴリズムになっている（図７）。
【００３２】
なお、リモコン信号と照度センサ信号を各々で制御しようとした場合、リモコン送信器信号が入力される際、照度センサのフィルタ特性によっては、リモコン送信器信号がノイズ源となり、図８（イ）に示すように、照度センサの出力が乱れる場合がある。この場合、リモコン信号入力時には照度センサ信号を無視するマスク処理が必要となる。
【００３３】
これに対して、本実施の形態のように、リモコン信号を照度センサ信号に重畳させるのであれば、リモコン信号の入力時は、図８（ロ）に示すように、リモコン信号としてのみ扱うこととなり、そのマスク処理が必要でなくなる。
【００３４】
ただし、図９（イ）に示すように、リモコン信号が正論理信号である場合において、リモコン信号の閾値Ｙが照度センサの閾値Ｘより小さい場合、周囲照度が閾値Ｙを超える状況では、「消灯状態から点灯状態への推移はできるが、点灯状態から消灯状態への推移はできなくなる」といった問題が生じる。
【００３５】
したがって、リモコン信号が正論理信号である場合、図９（ロ）に示すように、リモコン信号の閾値Ｙは、必ず照度センサの閾値Ｘより大きくなるよう設定される。
【００３６】
また、たとえリモコン信号の閾値Ｙが照度センサの閾値Ｘより大きくても、やはり、照度センサの出力上限範囲内であれば、周囲照度がリモコン信号の閾値Ｙの値を超える状況においては、リモコン信号の判定が機能しなくなる。したがって、リモコン信号は、その出力ｃが照度センサの最大出力値ｂより大きくなるように回路を構成されており、そのときのリモコン信号の閾値Ｙは、図９（ハ）に示すように、照度センサ信号の出力範囲外に設定されるようなっている。
【００３７】
なお、図１０に示すように、リモコン信号が負論理信号で照度センサ信号に重畳される場合も同様であり、リモコン信号は、その出力ｃが照度センサの最小出力値ａより小さくなるように回路を構成されている（図１１）。具体的には、図１１のダイオードＤ１の極性が図２とは逆極性となっており、リモコン受信部１６の出力がグランドレベルＧＮＤにプルダウンされることにより、リモコン信号は、その出力ｃが照度センサの最小出力値ａより小さくなる。
【００３８】
このとき、仮に、図１２（イ）に示すように、リモコン信号の閾値Ｙが、照度センサの閾値Ｘより大きい場合、周囲照度がリモコン信号の閾値Ｙより小さくなるような状況では、「点灯状態から消灯状態への推移はできるが、消灯状態から点灯状態への推移はできなくなる」といった問題が生じる。
【００３９】
したがって、リモコン信号の閾値Ｙは、図１２（ロ）に示すように、必ず照度センサの閾値Ｘより小さくなるよう設定される。また、たとえリモコン信号の閾値Ｙが、照度センサの閾値Ｘより小さくても、やはり、照度センサの出力下限範囲内であれば、周囲照度がリモコン信号の閾値Ｙの値より小さくなる状況においては、リモコン信号の判定が機能しなくなる。
【００４０】
したがって、リモコン信号は、図１２（ハ）に示すように、その出力ｃが照度センサの最小出力値ａより小さくなるように回路を構成されており、そのときのリモコン信号の閾値Ｙは、照度センサ信号の出力範囲外に設定されるようなっている。
【００４１】
（実施の形態２）
図１３、図１４を用いて実施の形態２を説明する。ここでは、照明装置１ａからの信号が照明装置１ｂに入力されたときの動作について、アナログ入力信号として照度センサ信号が、デジタル入力信号として人体検知センサ信号が入力された場合を例に説明する。
【００４２】
一般的に、照度センサ１５と人体検知センサ１７の両方を搭載した照明器具は、明るければ、人の検知の有無に関わらず消灯させ、暗いときに人を検知したら、点灯させるという動作を持たせており、この実施の形態もその動作を前提に記載している。
【００４３】
照度センサ１５の動作は、実施の形態１と同様である。一方、人体検知センサ信号は赤外線センサを使ったものであり、任意のエリアで熱変化があった場合に人体の動きとして出力され、ここでは正論理の矩形波が出力されるようになっている。
【００４４】
この矩形波は、人体検知時のエネルギー量の変化に比例してそのパルス幅が決められ、一般的に熱変化が大きいほど、出力パルス幅が長くなる。したがって、任意のパルス幅より長い場合にのみ人の移動による熱変化とみなし、短いパルス幅の出力波形はノイズ的な熱変化とみなして、信号を無視している。
【００４５】
制御回路部１１では、実施の形態１と同様、入力信号レベルが人体検知センサ信号の閾値Ｚを超えていなければ、常時、入力信号を照度センサ信号の入力として、任意に設定された閾値Ｘを越えているか、超えていないかにより周囲照度の明暗判別を行っている。
【００４６】
一方、人体検知センサ信号は、制御回路部１１において、任意の時間以上出力されたかが判別される。まず、制御回路部１１では、入力信号が人体検知センサ１７の信号閾値Ｚを越えたならば、入力信号は、人体検知センサ信号として時間判別処理に移る。一定時間の入力を確認した時点で、明るさが暗ければ照明負荷が点灯される。入力信号が閾値Ｚ以下になった時点で、一定時間以下と判断して、照明負荷３を消灯し、次回から、照度センサ１５の入力としての判別処理に戻る。
【００４７】
ここでも、人体検知センサ信号と照度センサ信号を各々で制御しようとした場合、図１４（イ）に示すように、人体検知センサ信号が出力されると一定時間後に照明負荷３が点灯されるため、照度センサ１５に自光の影響がある場合、点灯している間、照度センサ１５の出力が嵩上げされる波形になるので、各々を別処理しようとした場合、点灯時に照度センサ信号を無視するマスク処理が必要となる。これに対して、本実施の形態のように、人体検知センサ信号を照度センサ１５に重畳させるのであれば、図１４（ロ）に示すように、点灯時は、人体検知センサ信号とみなすこととなり、そのマスク処理が必要でなくなる。
【００４８】
ただし、人体検知センサ信号が正論理信号である場合において、仮に、人体検知センサの閾値Ｚが照度センサの閾値Ｘより小さい場合、周囲照度が人体検知センサの閾値Ｚを超える状況では、「人の検知がなくとも点灯する」といった問題が生じる。したがって、人体検知センサ信号の閾値Ｚは、必ず照度センサの閾値Ｘより大きくなるよう設定される。
【００４９】
また、たとえ人体検知センサの閾値Ｚが照度センサの閾値Ｘより大きくても、やはり、照度センサ１５の出力上限範囲内であれば、周囲照度が人体検知センサの閾値Ｚの値を超える状況においては、信号を常に人体検知センサ信号とみなしてしまい、照度センサ信号としての処理ができなくなるといった課題がある。したがって、正論理信号の人体検知センサ信号は、図１３に示すように、その出力ｄが照度センサの最大出力値ｂより大きくなるように回路を構成されており、そのときの人体検知センサの閾値Ｚは、照度センサ信号の出力範囲外に設定されるようなっている。
【００５０】
なお、人体検知センサ信号が負論理信号で照度センサ信号に重畳される場合も同様で、人体検知センサの閾値Ｚが照度センサの閾値Ｘより大きい場合、周囲照度が人体検知センサの閾値Ｚより小さくなるような状況では、信号を常に人体検知センサ信号とみなしてしまい、照度センサ信号としての処理ができなくなるといった問題が生じる。したがって、負論理信号の人体検知センサの閾値Ｚは、必ず照度センサの閾値Ｘより小さくなるよう設定される。
【００５１】
また、たとえ人体検知センサの閾値Ｚが、照度センサの閾値Ｘより小さくても、やはり、照度センサ１５の出力下限範囲内であれば、周囲照度が人体検知センサの閾値Ｚの値より小さくなる状況においては、「人の検知がなくとも点灯する」という問題が生じる。したがって、負論理信号の人体検知センサ信号は、その出力ｄが照度センサの最小出力値ａより小さくなるように回路を構成されており、そのときの人体検知センサの閾値Ｚは、照度センサ信号の出力範囲外に設定されるようなっている。
【００５２】
（実施の形態３）
図１５、図１６を用いて実施の形態３を説明する。ここでは、照明装置１ａからの信号が照明装置１ｂに入力されたときの動作について、アナログ入力信号として照度センサ信号が、デジタル入力信号として人体検知センサ信号およびリモコン信号が入力された場合を例に説明する。
【００５３】
照度センサ１５およびリモコン信号の各々の動作は実施の形態１と同じであり、人体検知センサ信号の動作は実施の形態２と同じである。ただし、リモコン信号と人体検知センサ信号は、その入力が区別されるよう、どちらか片方が正論理信号であり、もう片方が負論理信号となるよう構成されている。
【００５４】
制御回路部１１では、入力信号レベルが人体検知センサ信号の閾値Ｚを超えておらず、また、リモコン信号の閾値Ｙを超えてなければ、照度センサ信号の入力として、閾値Ｘを境に明暗判別を行っている。
【００５５】
人体検知センサ信号またはリモコン信号のどちらかのデジタル信号が入力され、その閾値Ｚ，Ｙのいずれかを超えた時点で、その信号の処理に移り、処理が終了した時点で、再度、閾値判定を行い、どちらの閾値も越えていなければ、照度センサ信号の入力として処理される（図１６）。
【００５６】
なお、リモコン信号および人体検知センサ信号の入力レベルは、実施の形態１および実施の形態２と同様、正論理信号の場合は照度センサ信号の最大出力値ｂより大きくなるよう、また負論理信号の場合は照度センサ信号の最小出力値ａより小さくなるよう設定され、各閾値の設定についても、実施の形態１および実施の形態２と同様、照度センサ信号の出力範囲外に設定されている。
【図面の簡単な説明】
【００５７】
【図１】本発明の実施の形態１の照明装置の構成を示すブロック図である。
【図２】本発明の実施の形態１の照明装置の正論理信号のリモコン信号を重畳する場合の要部構成を示す回路図である。
【図３】本発明の実施の形態１の壁付照明器具の構成を示す斜視図である。
【図４】本発明の実施の形態１の照明装置の正論理信号のリモコン信号を重畳する場合の動作説明図である。
【図５】本発明の実施の形態１の制御回路部における照度センサ信号の処理を示す説明図である。
【図６】本発明の実施の形態１の制御回路部におけるリモコン信号の処理を示す説明図である。
【図７】本発明の実施の形態１の制御回路部における信号処理のアルゴリズムを示すフローチャートである。
【図８】本発明の実施の形態１のリモコン信号と照度センサ信号の波形との関係を示す説明図である。
【図９】本発明の実施の形態１の照明装置の正論理信号のリモコン信号を重畳する場合の制御回路部の閾値設定の説明図である。
【図１０】本発明の実施の形態１の照明装置の負論理信号のリモコン信号を重畳する場合の動作説明図である。
【図１１】本発明の実施の形態１の照明装置の負論理信号のリモコン信号を重畳する場合の要部構成を示す回路図である。
【図１２】本発明の実施の形態１の照明装置の負論理信号のリモコン信号を重畳する場合の制御回路部の閾値設定の説明図である。
【図１３】本発明の実施の形態２の照明装置の人体検知センサ信号を照度センサ信号に重畳させたときの動作説明図である。
【図１４】本発明の実施の形態２の照明装置の人体検知センサ信号と照度センサ信号の波形との関係を示す説明図である。
【図１５】本発明の実施の形態３の照明装置のリモコン信号と人体検知センサ信号を照度センサ信号に重畳させたときの動作説明図である。
【図１６】本発明の実施の形態３の制御回路部における信号処理のアルゴリズムを示すフローチャートである。
【図１７】センサおよびリモコン機能付照明器具の従来例を示す図であり、（ａ）は器具の外観を示す斜視図、（ｂ）は器具の設置状況を示す斜視図である。
【図１８】センサおよびリモコン機能付照明器具に使用される照明装置の従来構成を示すブロック図である。
【符号の説明】
【００５８】
１ａ  照明装置（センサ部）
１ｂ  照明装置（制御部）
１ｃ  リード線
３    照明負荷
１１  制御回路部
１２  電源部
１３  負荷駆動回路部
１５  照度センサ（アナログ出力）
１６  リモコン信号受信部（デジタル出力）
１７  人体検知センサ（デジタル出力）
【図１】
2008159433.tif 000003
【図２】
2008159433.tif 000004
【図３】
2008159433.tif 000005
【図４】
2008159433.tif 000006
【図５】
2008159433.tif 000007
【図６】
2008159433.tif 000008
【図７】
2008159433.tif 000009
【図８】
2008159433.tif 000010
【図９】
2008159433.tif 000011
【図１０】
2008159433.tif 000012
【図１１】
2008159433.tif 000013
【図１２】
2008159433.tif 000014
【図１３】
2008159433.tif 000015
【図１４】
2008159433.tif 000016
【図１５】
2008159433.tif 000017
【図１６】
2008159433.tif 000018
【図１７】
2008159433.tif 000019
【図１８】
2008159433.tif 000020